(57)【要約】【課題】カメラをバッグ入れて持ち運んだり取り出したりする際に、ストラップが邪魔にならないようにする。【解決手段】紐状のストラップ１０は弾性を有しており、一端はカメラボディに固定されている。ストラップ１０の一端側および他端側には留め具が備えられており、カメラを携帯するときには互いに固定してリング状のストラップとすることができる。収納時には紐状とし、カメラの上下左右の面に設けた一連に連なる溝にそって巻きつけ、溝内に設けられた留め具と他端側の留め具を固定する。ストラップ１０は厚み方向で弾性を有し、巻き付けた際に溝から突出させた部分で衝撃を吸収することができる。【選択図】        図２
2006047443.tif 000002
【特許請求の範囲】
【請求項１】
携帯用のストラップを備えたカメラにおいて、前記ストラップに厚み方向で弾性を持たせるとともに、カメラボディの上面、底面及び左右の側面にわたって一連に連なる溝を設け、前記各面に巻き付けるようにストラップを前記溝に収納したときに、ストラップの表面側が溝の外側に突出することを特徴とするストラップを備えたカメラ。
【請求項２】
前記ストラップは、その一端側がカメラボディに固定され、カメラの携帯時にはストラップの他端側を前記一端側に連結することによってループを形成し、ストラップを前記溝に収納するときにはその前記他端側を一端側から外して前記各面に巻きつけられることを特徴とする請求項１記載のストラップを備えたカメラ。
【請求項３】
前記ストラップは前記他端側に留め具を有し、カメラの携帯時にはこの留め具が前記一端側に設けられた第一係止部に連結され、ストラップを前記溝に収納するときには前記留め具が前記溝内に設けられた第二係止部に連結されることを特徴とする請求項２記載のストラップを備えたカメラ。
【発明の詳細な説明】
【技術分野】
【０００１】
本発明は、ストラップを備えたカメラに関し、更に詳しくはバッグなどへの収納時にストラップが邪魔にならないようにしたカメラに関するものである。
【背景技術】
【０００２】
写真カメラやデジタルカメラの携帯性を向上させる目的で、多くのカメラにはストラップが設けられている（例えば特許文献１）。ストラップには、首にかけて利用するネックストラップや手首に掛けて利用するハンドストラップがあるが、一般アマチュア向けの簡易型カメラではハンドストラップが多用されている。
【０００３】
【特許文献１】特開平９−１２００９６号公報
【発明の開示】
【発明が解決しようとする課題】
【０００４】
しかし、カメラはハンドバッグや一般のバッグに入れて持ち運ぶときには、これらのストラップは不要なものとなり、逆にバッグからカメラを取り出そうとするときにバッグ内の他のものと絡み合ったりして邪魔になることも少なくない。ストラップをカメラから外してしまえば問題はないが、カメラをバッグから取り出して携帯するときにはストラップを再装着しなければならず、面倒なだけでなくストラップを紛失するおそれもある。
【０００５】
本発明は上記事情を考慮してなされたもので、カメラをバッグなどに収納して持ち運ぶときにストラップが邪魔にならないようにし、しかもバッグ内でカメラに衝撃が及ぶことを緩和することができるようにしたカメラを提供することを目的とする。
【課題を解決するための手段】
【０００６】
本発明は上記目的を達成するにあたり、ストラップに少なくとも厚み方向で弾性をもたせ、カメラをバッグなどに収納するときにはストラップをカメラボディの回りに簡便に巻きつけられるようにしている。このため本発明では、カメラボディの上面、底面及び左右の側面にわたって一連に連なる溝が設けられ、これらの各面に巻き付けるようにストラップを前記溝に収納したときに、ストラップの表面側が溝の外側に突出させるようにしている。
【０００７】
ストラップは、その一端側がカメラボディに固定され、カメラの携帯時にはストラップの他端側を前記一端側に連結することによってループを形成し、ストラップを前記溝に収納するときには前記他端側を一端側から外してから前記各面に巻きつけられる。また、ストラップの前記他端側に留め具を設け、カメラの携帯時にはこの留め具を前記一端側に設けられた第一係止部に連結することによってループ状のストラップとして使用できるようにし、ストラップを前記溝に収納するときには前記留め具を前記溝内に設けられた第二係止部に連結することによってストラップを簡便にカメラボディに巻きつけることができるようにすることも本発明を用いる上で有効となる。
【発明の効果】
【０００８】
バッグなどにカメラを入れるときには、ストラップがカメラボディに巻き付けられるので、バッグ内でストラップが邪魔になることがない。そして、厚み方向で弾性をもったストラップは、その表面側が溝から外方に突出するので、衝撃を吸収するという効果も得られるようになる。ループ状のストラップを一本の紐状に伸ばしてからカメラボディに巻きつけるので、巻きつけたストラップが外れたり、バッグの中の別のものと絡んだりすることもない。
【発明を実施するための最良の形態】
【０００９】
図１に本発明を用いたデジタルカメラの外観を示す。略直方体形状をしたカメラボディ２の前面にレンズバリア３が設けられている。レンズバリア３は左右方向にスライド自在で、撮影時には図示の開き位置に移動して撮影レンズ４やフラッシュ発光窓５を前面に露呈させ、カメラの不使用時や携帯時にはこれらを覆う閉じ位置に移動させることができる。カメラボディ２の上面にはレリーズボタン６が設けられ、これを押圧操作することによって撮影が行われる。
【００１０】
カメラボディ２の右手グリップ側の側面下方に、ベルト状のストラップ１０が支軸８に取り付けられている。ストラップ１０は例えばゴム材のように弾力性を持った素材で構成され、長さ方向や幅方向だけでなく厚み方向にも弾力性を有している。ストラップ１０は、その一端がカシメピンによって支軸８に巻きつけて固定され、その近傍には留め具１１が固定されている。ストラップ１０の他端にも留め具１２が固定され、これらのホック式の留め具１１，１２を互いに連結することによって、同図中に破線で示すようにストラップ１０はループ状となる。カメラの携帯時には、ループ内に手首を通してハンドストラップとして用いることができる。
【００１１】
カメラボディ２の外周面を構成する上面、底面及び左右の側面には、ストラップ１０と略同じ幅の溝１５が一連に連なるように設けられ、この溝１５の深さは、ストラップ１０の厚みよりも小さいものとしてある。また、ストラップ１０の長さは、一本のベルト状にしたときに、カメラボディ２の外周面を連ねた長さとほぼ同じにしてある。したがって、留め具１１、１２を外し、図２に示すようにストラップ１０を溝１５に収納しながらカメラボディ２の外周面に時計方向に巻き付けていくと、留め具１２を設けた他端が支軸８の近傍まで達する。
【００１２】
カメラボディ２の底面の溝１５内には、図２のようにストラップ１０を巻き付けていった際に、留め具１２と対面する位置に留め具１６が組み込まれている。そして、この留め具１６に留め具１２を嵌め込むことによって、ストラップ１０の他端がカメラボディ２に留められ、カメラボディ２の外周面のほぼ一周にわたってストラップ１０を巻きつけた状態で固定することができる。なお、ストラップ１０をその弾性を利用して長さ方向にわずかに引き伸ばしたときに留め具１２を留め具１６に嵌め込むことができるようにしておくと、巻きつけたストラップ１０がカメラボディ２からはずれにくくなる。
【００１３】
カメラを携帯するときには、留め具１１に留め具１２を嵌め込み、図１に破線で示すようにストラップ１０をループ状にしてハンドストラップとして用いる。ストラップ１０は支軸８の回りに回動自在であるから、カメラの姿勢によらず無理なくカメラを携帯することができる。このとき、留め具１１と留め具１２とが容易に外れることがないように、両者間の嵌め込み強度は充分に強いものとしておく必要がある。なお、留め具１１と留め具１２とが不用意に外れることがないように、留め具１１にロック機構を設けたり、これらの近傍にロック機構を併設したりすることが好ましい。
【００１４】
カメラをバッグに収納するときには、留め具１１から留め具１２を外し、支軸８側からストラップ１０を溝１５内に収めながら、図２に示すようにカメラボディ２の外周面に巻きつける。そして、図３に示すように、ストラップ１０の留め具１２をカメラボディ２の底面の溝１５内に設けた留め具１６に嵌め込む。これにより、カメラボディ２の上面、底面及び左右の側面にストラップ１０が一連に巻き付けられた状態で固定されるから、カメラをバッグなどに収納してもストラップ１０が他のものに絡まったりすることがない。また、ストラップ１０を解かなくてもレンズバリア３を開けば撮影を行うことができるので、咄嗟の撮影にも迅速に対応することができる。
【００１５】
カメラボディ２の上面、底面及び左右の側面に設けられた溝１５の深さＤ２は、図３に例示するようにそれぞれストラップ１０の厚みＤ１よりも小さくしてあるから、各面からストラップ１０の表面側が部分的に突出する。そして、ストラップ１０は厚み方向で弾性を有しているから、バッグ内に収納して携帯するときに、バッグ内の他の収納物がカメラボディ２の外周面からぶつかってきた場合にはストラップ１０がこれを受け止めることになり、カメラボディ２に加わる衝撃を吸収することができる。なお、紐状のストラップ１０の留め具１１に留め具１２を嵌め込んで固定することでループ状とし、ストラップの長さ方向への弾性を利用して、輪ゴムのようにカメラの溝に嵌め込み固定することもできる。この場合には、溝１５内に留め具１６を設ける必要がない。
【００１６】
また図４に示すように、弾性を有するストラップ２６の底面側に突条２６ａを一連に形成するとともに、カメラボディの外周に形成した溝２５の幅を突条２６ａの幅寸法よりもわずかに狭くしておき、ストラップ２６の弾性を利用して突条２６ａを溝２５に嵌め込んで固定するようにしてもよい。ストラップ２６の表面側は幅広にしてあるから、ストラップ２６の全体の厚みを溝２５の深さより薄くしておいてもよく、この幅広部分でカメラボディに加わる衝撃を緩和することができる。
【００１７】
図５に示す実施形態では、カメラボディ側に一対の突条２７を形成し、これらの突条の相互間がストラップ２８を嵌め込むための溝となる。ストラップ２８をカメラボディに巻き付けた状態で保持するには、先に説明した留め具などを用いるほか、図４の実施形態と同様にストラップ２８の弾性を利用した嵌め込み固定で対応すればよい。さらに、ストラップ２８の表面側に、レリーズボタンや電源スイッチおオン／オフボタンなどの操作ボタン２９を覆う幅広部を設けておけば、ストラップ２８を巻き付けた状態では不用意なシャッタレリーズや電源投入を防ぐ上でも有利になる。
【図面の簡単な説明】
【００１８】
【図１】本発明を用いたカメラの外観図である。
【図２】ストラップを巻き付けた状態の外観図である。
【図３】ストラップの先端を固定した状態を示す要部概略断面図である。
【図４】本発明の他の実施形態を示す要部概略断面図である。
【図５】本発明のさらに別の実施形態を示す要部概略断面図である。
【符号の説明】
【００１９】
２  カメラボディ
８  支軸
１０  ストラップ
１１，１２，１６  留め具
１５  溝
【図１】
2006047443.tif 000003
【図２】
2006047443.tif 000004
【図３】
2006047443.tif 000005
【図４】
2006047443.tif 000006
【図５】
2006047443.tif 000007